(57)【要約】【課題】仮に不正行為を行った後に偽造した封印具を取り付けたとしても、紫外線を照射することにより偽造したことが一目で判り偽造による不正行為が容易に発見できるようにした封印具を提供する。【解決手段】合成樹脂材からなる本体部１と、該本体部１内に嵌挿され合成樹脂材からなるキャップ２とを備え、端子ボックス２２の外側面から突出する封印ねじ２６の頭部２７に嵌着するようにした封印具Ａにおいて、キャップ２は紫外線を照射することによって発光する蛍光物質を含有してなる。そして、紫外線を照射することにより蛍光物質が発光する状態を外部から視認できるようにし、発光するかしないかで封印具が真正なものか偽造によるものかが一目で判るようにした。【選択図】図８
2005156857.tif 000002
【特許請求の範囲】
【請求項１】
紫外線を照射することによって発光する蛍光物質を含有してなる合成樹脂材を用いて成形され、前記蛍光物質が発光する状態を前記紫外線を照射することにより外部から視認できるようにしたことを特徴とする封印具。
【請求項２】
複数の部材を組み付けて構成される封印具であって、前記部材の内少なくとも１個の部材が紫外線を照射することによって発光する蛍光物質を含有してなる合成樹脂材により成形され、前記蛍光物質が発光する状態を前記紫外線を照射することにより外部から視認できるようにしたことを特徴とする封印具。
【請求項３】
合成樹脂材からなる筒状の本体部と、前記本体部内に上方から嵌挿され合成樹脂材からなるキャップとを備え、端子ボックスの外側面から突出する封印ねじの頭部に嵌着するようにした封印具であって、
前記キャップは、紫外線を照射することによって発光する蛍光物質を含有してなり、前記蛍光物質が発光する状態を前記紫外線を照射することにより外部から視認できるようにしたことを特徴とする封印具。
【発明の詳細な説明】
【技術分野】
【０００１】
本発明は、管理者以外の者の開閉行為を禁止するために使用される封印具に関するものである。
【背景技術】
【０００２】
この種封印具はさまざまな個所に使用されており、その一例として電力計器にも使用されている。電力計器に使用される封印具は、例えば合成樹脂製の本体部とキャップとその間に介在される鋼板製の係止ばねとからなり、本体部の底壁上面に係止ばねを載置すると共にその上からキャップを嵌挿して構成されている。そして、端子ボックスに螺子止めされた封印ねじの頭部に前記封印具を嵌着し、封印ねじ頭部の外周面に周設された係止溝に前記係止ばねの内周面に放射状に設けられた複数の爪片を強固に係合させ、常態では封印具の取外しができないようになっている。そこで、不正を働くには封印具を破壊しなければならず、破壊すれば不正行為が一目瞭然と判るようにしている（特許文献１参照。）。
【特許文献１】実公昭６０−２７４１２号公報（第１−２頁、図７）
【発明の開示】
【発明が解決しようとする課題】
【０００３】
しかしながら、近時この種封印具をあらかじめ偽造しておき、取り付けられている真正の封印具を破断し電力計器を無断で開けて不正を働き、終了後は前記真正の封印具に替え偽造した封印具を前記封印ねじの頭部に嵌着して、恰も電力計器は解放してないかのごとく装う不正行為が発生しており、その対策に苦慮している。
【０００４】
そこで、本発明は上記課題に鑑みてなされたもので、仮に不正行為を行った後に偽造した封印具を取り付けたとしても、紫外線を照射することにより偽造したことが一目で判り、偽造による不正行為を容易に発見できるようにした封印具を提供することを目的とするものである。
【課題を解決するための手段】
【０００５】
かかる目的を達成するため、本発明に係る封印具は、紫外線を照射することによって発光する蛍光物質を含有してなる合成樹脂材を用いて成形され、前記蛍光物質が発光する状態を前記紫外線を照射することにより外部から視認できるようにした構成からなる。
【０００６】
また、本発明に係る封印具は、複数の部材を組み付けて構成される封印具であって、前記部材の内少なくとも１個の部材が紫外線を照射することによって発光する蛍光物質を含有してなる合成樹脂材により成形され、前記蛍光物質が発光する状態を前記紫外線を照射することにより外部から視認できるようにした構成からなる。
【０００７】
具体的には、本発明に係る封印具は、合成樹脂材からなる筒状の本体部と、前記本体部内に上方から嵌挿され合成樹脂材からなるキャップとを備え、端子ボックスの外側面から突出する封印ねじの頭部に嵌着するようにした封印具であって、前記キャップは、紫外線を照射することによって発光する蛍光物質を含有してなり、前記蛍光物質が発光する状態を紫外線を照射することにより外部から視認できるようにした構成からなる。
【０００８】
通常、前記紫外線として「ブラックライト」と称される紫外線（以下、この「紫外線」をブラックライトという。）が用いられる。ブラックライトは、水銀ランプから発生する特定の波長を持つ光（波長２５０〜３７０ｎｍ程度の長波長紫外線）を特殊設計の紫外線フィルターで取り出した目に見えない光を持つ照明である。そして、蛍光物質を含んだ物にこのブラックライトを照射することにより蛍光色で浮かび上がるように光らせることができる。
前記蛍光物質は、可視光線（自然光線）の照射では励起しないが、前記ブラックライトの照射により励起して発光するものであればよく、蛍光発光又は蓄光発光する蛍光・蓄光染料、蛍光・蓄光顔料、蛍光・蓄光塗料が挙げられ、これらの内いずれかに含まれる蛍光物質が選択して使用に供される。また、発光の色調については例えばグリーン、レッド、イエロー、ブルー或いはこれら２種以上の混合色等任意に選択できる。
【０００９】
前記蛍光物質としては、例えばアントラキノン系染料、インジゴ系染料、アジン系染料、キサンテン系染料、アクリジン系染料など、また有機蛍光顔料、無機蛍光顔料が有る。これらは単体として使用しても良く、混合して使用しても良い。
【００１０】
蛍光物質の配合方法としては、該蛍光物質を有機又は無機の粉体に担持させたり、有機溶剤や水などに分散させた後に合成樹脂材と混合し、この合成樹脂材により成形品を成形するようにする。この際、前記合成樹脂材は着色されていても構わないが透光性、すなわち透明または乳白色のような半透明のものが好ましい。
【発明の効果】
【００１１】
本発明に係る封印具は、ブラックライトを照射することによって発光する蛍光物質を含有してなる合成樹脂材を用いて成形されるので、通常これによる真正の封印具は外観上蛍光物質が見えず該蛍光物質が含まれていることが解らない。このため、あらかじめこの合成樹脂材により真正の封印具を成形しておけば、仮に偽造により形状のみ模した封印具と替えられたとしても、ブラックライトを照射することにより発光するかしないかで偽造による封印具か真正な封印具かが一目で判り、偽造による不正行為が容易に発見できるという効果がある。
【００１２】
請求項２又は３記載の封印具にあっても、ブラックライトを照射することにより発光するかしないかで偽造による封印具か真正なものかが一目で判り、偽造による不正行為が容易に発見できる。また、封印具を構成する部材に蛍光物質を含有させるかまたは蛍光物質を含有した単体を部材の一部に組み入れるようにすれば、蛍光物質の使用量を極力少なくでき、製作コストの低廉が可能になるという効果がある。また、蛍光物質が含有される部材または単体に会社のマークなど各種情報を描いておけば、紫外線を照射したときにその情報が浮き上がって見え、情報伝達の媒体として使用できる。
【発明を実施するための最良の形態】
【００１３】
以下、本発明に係る封印具の実施の形態を図面に基づき説明する。本発明に係る封印具は多方面に亘り使用できるものであるが、その一例として電力計器に使用される場合を説明する。
【００１４】
図１は本発明に係る封印具の正面図、図２は同底面図、図３は同縦断面図、図４は封印具の分解斜視図である。封印具Ａは、複数の部材を組み付けて構成されており、例えばアクリル樹脂といった合成樹脂材からなると共に薄水色に着色された透明な本体部１と、同じくアクリル樹脂といった合成樹脂材からなるほぼ透明なキャップ２と、鋼板製の係止ばね３とから構成される。
【００１５】
更に詳しく説明すると、本体部１は、一端上面が開放した略円筒体からなり、本体部１内であって揚底位置に底壁４が設けられ該底壁４より下方は肉薄に成形されている。該底壁４の中心に後記する封印ねじ２６の頭部２７を挿通する円孔５が開設され、さらに該底壁４裏面であって円孔５の周縁に短筒部６が突設されている。また、円孔５から一端が該円孔５と連通しかつ他端が外周縁に達する複数の切欠溝７が放射状に設けられている。底壁４上面の外周縁であって本体部１の内側面に沿って断面Ｖ字状の環状凹溝８が周設される。これにより、本体部１の底壁４から下方に設けた肉薄部がさらに部分的に極く薄肉に成形され、本体部１が容易に破壊され得るようにしている。
【００１６】
キャップ２は、上方から本体部１内にきつく嵌挿する外筒９と、前記円孔５とほぼ同心状に配置されその外周縁を囲む内筒１０とからなり、外筒９と内筒１０との間には補強用のリブ１１が複数設けられている。そして、キャップ２は、成形時に蛍光物質が含有されており、後記するブラックライト照射灯Ｂを近付けブラックライトを照射すると、所定の色（例えば、グリーンまたはブルー）に発光するようになっている。
【００１７】
係止ばね３は、鋼板の打抜成形により成形され前記本体部１内に挿通して底壁４上面に載置できる外径を有し、一側には開口１２を設けた円形状の基板１３からなる。該円形状の基板１３の内周縁に複数の爪片１４が放射状にかつ先端がやや上を向くように傾斜させて突設され、図５に示すように各爪片１４の先端は係止ばね３を底壁４の上面に載置したとき円孔５に僅かに臨みしかも円孔５と同心円状に位置するようにその長さが設定されている。
【００１８】
そこで、前記底壁４上に各爪片１４が上方へ傾斜するようにして係止ばね３を載置し、この状態でキャップ２を本体部１内に上方から嵌挿する。この際、キャップ２は例えばウェルダー溶着により本体部１と一体に溶着されるようになっている。また、係止ばね３は円形状の基板１３がキャップ２の外筒９の下端縁で押えられ、浮上がるのを抑止されている。
【００１９】
電力計器Ｄは、図６に示すように各種装置が内装されるケース２０と、該ケース２０の上面開口に被着される透明蓋２１と、ケース２０の一側に接するようにして設けられる端子ボックス２２とからなる。また、端子ボックス２２は、リード線引出口２３が設けられるボックス本体２４とその上面開口に被着される上側蓋２５とからなり、上側蓋２５側から封印ねじ２６を螺締することにより端子ボックス２２が開封不能に密閉される。そして、前記上側蓋２５の外側面から突出する封印ねじ２６の頭部２７に本発明に係る封印具Ａが装着されることになる。
【００２０】
次に、本発明に係る封印具Ａの使用方法について説明する。封印状態とするには上側蓋２５の外側から封印ねじ２６を螺着する。これにより、封印ねじ２６はその頭部２７の下面が上側蓋２５の上面に当接する位置まで捻じ込まれる。そして、図６、図７に示すように係止ばね３を内装した封印具Ａを本体部１の短筒部６側から封印ねじ２６の頭部２７に嵌着する。
【００２１】
この状態では、図８に示すように係止ばね３の基板１３がキャップ２の外筒９下端縁で抑止されると共に各爪片１４がその弾性によって封印ねじ２６の係止溝２８に深く、しかも強固に係合し、それによって封印具Ａが常態では取外し不能に嵌着されることになる。よって、封印具Ａをドライバー等の先端でこじあけ破壊しない限り封印ねじ２６を外して上側蓋２５を開けることはできず、不正ができないことになる。
【００２２】
そこで、不正が行なわれない通常の常態では、検針時に図９に示すように封印具Ａにブラックライト照射灯Ｂを近付け該封印具Ａにブラックライトを照射してやれば、キャップ２内に含有される蛍光物質が発光する。これにより、その封印具Ａは真正なものであり不正に開放されていないことが判る。
【００２３】
これに対し、あらかじめ本願発明に係る封印具Ａを偽造して形状のみ模した封印具を製作する者は、真正の封印具Ａに蛍光物質が含有されていることが解らないことから、そのまま蛍光物質の含有されてない封印具を成形する。このため、取り付けられている真正の封印具Ａを破断して電力計器Ｄを無断で開けて不正を働き、終了後は前記真正の封印具Ａに替えて偽造した封印具を前記封印ねじ２６の頭部２７に嵌着しておいたとしても、同様にして検針時にブラックライト照射灯Ｂを封印具に近付け該封印具にブラックライトを照射してやれば、キャップ２は発光しないことから、その封印具は偽造したものであり不正に開放されたことが判る。
【００２４】
このようにして、封印具が真正なものか偽造されたものかがブラックライトを照射することにより一目で判り、偽造による不正行為が容易に発見でき、引いては不正行為の発生を減らすことができる。
【００２５】
本発明にあっては、封印具全体に蛍光物質を含有させるようにしても良く、本体部１やキャップ２など複数の部材からなるときは、その内少なくとも１個の部材に蛍光物質が含有されていれば良い。
【００２６】
図１０は他の実施の形態に係る封印具の縦断面図を示すものである。本実施の形態に係る封印具Ａにあってはキャップ２内に蛍光物質を含有させるようにしたが、この実施の形態に係る封印具Ａ１にあっては蛍光物質が含有されておらず、該封印具Ａ１とは別途に蛍光物質が含有された単体１５または単体１６が成形される。そして、例えばキャップ２ａにおける外筒９と内筒１０との間の隙間Ｓ１または中央の隙間Ｓ２内に前記単体１５または単体１６を嵌入して固定するようにすれば、単体１５または単体１６の封印具Ａ１に対する堆積比率が小さいことから、蛍光物質の使用量も少なくでき経済的であるばかりか製作コストも低廉になし得る。
【００２７】
また、前記蛍光物質が含有される部材または単体に会社のマークなど各種情報を描いておけば、紫外線を照射したときにその情報が浮き上がって見え、情報伝達の媒体として使用できる。なお、前記他の封印具Ａ１は本実施の形態に係る封印具Ａと構成がほとんど同じなので同一部位は同一番号を付して詳しい説明は省略する。
【図面の簡単な説明】
【００２８】
【図１】本発明に係る封印具の正面図。
【図２】同底面図。
【図３】図１のＸ−Ｘ線断面図。
【図４】封印具の分解斜視図。
【図５】係止ばねを配置した状態の本体部の平面図。
【図６】封印ねじに封印具を嵌着する状態を示す電力計器の斜視図。
【図７】封印ねじに封印具を嵌着した状態を示す電力計器の斜視図。
【図８】使用状態を示す封印ねじ部の縦断面図。
【図９】封印具を検査する状態を示す説明図。
【図１０】他の実施の形態に係る封印具の縦断面図。
【符号の説明】
【００２９】
１          本体部
２          キャップ
３          係止ばね
２２        端子ボックス
２６        封印ねじ
２７        頭部
Ａ，Ａ１    封印具
Ｄ          電力計器
【図１】
2005156857.tif 000003
【図２】
2005156857.tif 000004
【図３】
2005156857.tif 000005
【図４】
2005156857.tif 000006
【図５】
2005156857.tif 000007
【図６】
2005156857.tif 000008
【図７】
2005156857.tif 000009
【図８】
2005156857.tif 000010
【図９】
2005156857.tif 000011
【図１０】
2005156857.tif 000012